(57)【特許請求の範囲】
【請求項１】
散水装置のスプレーユニットに適用するロータノズルの構造であって、
前記スプレーユニットは、１つの水入口側及び１つの水出口側を有するチャンバを相互に閉じ込める取り付け部材並びにハウジングを備え、
前記チャンバ内に、前記水出口側に接続する水出口としての一端を有するロータが設置され、
前記チャンバは、前記水出口側付近の内側壁に、少なくとも１つのスロットを有し、
前記ロータは、少なくとも１つのガイド部材を有し、
前記ロータは、前記少なくとも１つのガイド部材が前記少なくとも１つのスロットに位置するように前記チャンバ内に配置され、
前記ロータは、当該ロータが前記チャンバ内で傾斜した状態を維持しつつ、当該ロータの軸を中心に回転することなく前記チャンバの軸を中心に回転することを特徴とする、
ロータノズルの構造。
【請求項２】
前記導流部は、前記ハウジング及び前記取付部材の間に取り付けられ、前記導流部には少なくとも１つのガイド羽根が備え付けられることを特徴とする、請求項１に記載のロータノズルの構造。
【請求項３】
前記導流部は、
前記取り付け部材に位置付けられる１つの環状のベースと、
前記環状のベースから離間してある１つの中央のベースと、を有し、
前記少なくとも１つのガイド羽根は、前記環状のベースの内側壁及び前記中央のベースの外側壁に接続することを特徴とする、請求項２に記載のロータノズルの構造。
【請求項４】
前記ロータが、ロッド体を有し、
前記ロッド体は、前記導流部から延在する位置決めロッドの外側壁に位置付けられるように、前記水入口付近で前記ロータの一端に延在してあることを特徴とする、請求項２に記載のロータノズルの構造。
【請求項５】
前記ロータは、少なくとも１つの流れブレードが備え付けられる１つの内側壁を有する中空の柱を形成することを特徴とする、請求項１に記載のロータノズルの構造。
【請求項６】
前記導流部は、前記取り付け部材の底部から離れて配置されることを特徴とする、請求項２に記載のロータノズルの構造。
【請求項７】
前記ロータの前記水出口の一端は、前記水出口側に対して補完的な機構を形成する球状の端であることを特徴とする、請求項１に記載のロータノズルの構造。
【請求項８】
前記ロータの少なくとも１つのガイド部材は、少なくとも１つのスロットを形成することを特徴とする、請求項１に記載のロータノズルの構造。
【請求項９】
前記チャンバは、少なくともスロットを形成するストッパを有することを特徴とする、請求項１に記載のロータノズルの構造。
【請求項１０】
前記少なくとも１つのストッパは、前記ロータの傾斜を維持する傾斜面であるベベルを有することを特徴とする、請求項９に記載のロータノズルの構造。
【請求項１１】
１つの取り付け部材及び１つのハウジングから構成される１つのスプレーユニットを有し、
前記取り付け部材及び前記ハウジングは、１つの水入口側及び１つの水出口側を有する１つのチャンバを相互に画成し、
前記チャンバ内に、前記水出口側に接続する水出口としての一端を有するロータが設置され、
前記チャンバは、前記水出口側付近の内側壁に、少なくとも１つのスロットを有し、
前記ロータは、少なくとも１つのガイド部材を有し、
前記ロータは、前記少なくとも１つのガイド部材が前記少なくとも１つのスロットに位置するように前記チャンバ内に配置され、
前記ロータは、当該ロータが前記チャンバ内で傾斜した状態を維持しつつ、当該ロータの軸を中心に回転することなく前記チャンバの軸を中心に回転することを特徴とする、
散水装置。
【発明の詳細な説明】
【技術分野】
【０００１】
本開示は、散水装置のノズル構造に関し、より具体的には、組み立てが容易で動作が安定しているという利点を有する、ロータノズル構造に関する。
【背景技術】
【０００２】
特許文献１に開示されているような従来のロータノズルの構造は、円柱形状のロータ１２の収容部としての円錐チャンバ３であって、ロータ１２は、スプレーガンの出口開口６に接続する水出口孔１４を有して展開される一端を有する、円錐チャンバ３、及び、円錐チャンバ３の長手方向軸に対して偏心した配置でロータ１２の円錐チャンバ３の内側壁に対して球状の表面を有する中間要素２５を有する、ハウジング２を開示している。この構造では、流体がチャンバ３に流れ込むと、流体が傾斜した流れでロータ１２を回転させ、次に、３６０度の渦流に変わり、出口開口６から流れ出る。しかし、ロータノズルのこの種のロータ１２は、チャンバ３においても回転するため、出力流体が分散する。
【先行技術文献】
【特許文献】
【０００３】
【特許文献１】米国特許第９９３１６５２号
【発明の概要】
【発明が解決しようとする課題】
【０００４】
本開示は、ハンディスプレーガンに適用するために長手方向チャンバを採用するとともに、出力流体が集中するように、ロータの回転を防止する、ロータノズルを提供することを目的とする。
【課題を解決するための手段】
【０００５】
上述した目的に基づいて、本開示は、散水装置のスプレーユニット内に設置されるロータノズルの構造を提供する。スプレーユニットは、１つの水入口及び１つの水出口を有するチャンバを相互に画成する取り付け部材並びにハウジングから構成され、チャンバは、水出口側に接続する水出口のその端に関してロータとともに展開される。水出口側付近のチャンバの内側に設定される少なくとも１つのストッパが、ロータの水出口の端にある複数のガイド部材に対応して適合される。
【０００６】
ストッパの展開のおかげで、ストッパはロータを傾斜した配置で固定し、既存のスプレーノズルに適用される従来の円錐状のチャンバを必要としない。
【０００７】
さらに、ロータは、散水装置の水出口に接続する球状の一端を有する。したがって、ロータの水出口側は、少なくとも２つの環状の位置決めエリアを形成する。本開示は、ロータノズルの上述した構造を収容する散水装置をさらに提供する。
【図面の簡単な説明】
【０００８】
【図１】本開示の実施形態における斜視外観図である。
【図２】本開示の実施形態における断面図である。
【図３】本開示の実施形態における分解図である。
【図４】本開示の実施形態における図３の断面分解図である。
【図５】本開示の実施形態における別の分解図である。
【発明を実施するための形態】
【０００９】
以下、当業者によるより良い理解のために、本開示の実施形態をより具体的に熟考すべく、調整可能な散水装置の水出口について説明する。
【００１０】
図１〜図４は、散水装置のスプレーユニット１００を示している。スプレーユニット１００は、散水装置のベース２００に回転可能に設置され、主に、調整部材１０及び取り付け部材１１によって対応して組み立てられる。
複数のスプレーヘッドが調整部材１０と取り付け部材１１との間に設定され、スプレーヘッドは、調整部材１０と取り付け部材１１との間に水出口及び水入口をそれぞれ有し、取り付け部材１１は、散水装置のベース２００の水入口側１０１に接続されており、水入口側１０１は給水部に接続されている。したがって、散水装置のスプレーユニット１００とベース２００との間の相対的な回転に起因して、スプレーヘッドのうちの１つをベース２００の水入口側１０１に接続することができるため、給水部からの水が、水入口側１０１を通って、ロータノズル内に流れ、水出口側１０２から放出される。
【００１１】
スプレーヘッドのうちの１つは、ロータノズルの構造を有し、ロータノズルの構造は、ハウジング１５、ロータ２０、導流部４０からなる。この場合、ハウジング１５は、その前端が調整部材１０の内側壁に係合する概ね筒状の形状であり、それによって、ハウジング１５の水出口側１０２は調整部材１０に位置付けられ、ハウジング１５は、その後端が、長手方向内部によってチャンバ１７を相互に画成するように取り付け部材１１に接続されている。
【００１２】
導流部４０は、ハウジング１５の後方開口及び取り付け部材１１の側壁にあるブロック１２に位置付けられる環状のベース４１を有し、それによって、導流部４０及び取り付け部材１１の底部は、仕切り（ｐａｒｔｉｔｉｏｎ）の形態で配置される。加えて、導流部４０は、環状のベース４１から離間した中央のベース４５、中央のベース４５から水出口１０２の方向に対して前方に突出する位置決めロッド４７、並びに、環状のベース４１の内側側壁及び中央のベース４５の外側側壁に接続する複数のガイド羽根４３を有し、ガイド羽根４３は、中央のベース４５の径方向に沿って、中央のベース４５に対してそれぞれ所定の角度で接線方向に延在し、旋回開口４６が、隣接するガイド羽根４３間に画成される。換言すると、旋回開口４６は弧状であり、環状の導流部４０の２つの反対の側に貫通する。
【００１３】
ロータ２０は、チャンバ１７内に設置され、水入口２１及び水出口２２としての２つの端を有する中空の柱を形成する。この場合、ロータ２０は、交差した形態で水入口２１まで延在する複数の流れブレード２６が固定される内側壁を有する。ロータ２０は、調整部材１０の水出口側１０２に接続する水出口２２から構成される球状の端２７を有し、球状の端２７及び水出口側１０２は相補的（ｃｏｍｐｌｅｍｅｎｔａｒｙ）な機構を形成する。加えて、ロータ２０は、チャンバ１７の内側壁と、ロータ２０に対する導流部４０の位置決めロッド４７の環状の軌道との間に偏心した配置で閉じ込められ、後方及び外方に水出口まで傾く水入口２１を有する。
【００１４】
本開示は、水出口側１０２付近のチャンバ１７が、内側壁において環状の形状で突出する複数のストッパ１８を有する長手方向の内部であり、スロット１９がストッパ１８間に形成され、複数の止めロッドがガイド部材２８としてロータ２０の球状の端２７上に径方向に突出し、スロット１９に位置付けられる、実施形態を開示している。加えて、各ストッパ１８は、その表面に、傾斜した配置でロータ２０の表面をガイドするベベルを有し、ロータ２０の水出口側（球状の端２７、ガイド部材２８）は、少なくとも２つの環状の位置エリアを形成する。ロータ２０は安定して回転し、また、従来のロータの回転によって生成される円錐状の噴出ではなく、ロータ２０の水出口２２から噴き出す集中した直線的な流れを生成するため、ロータ２０が回転することを防止する。
【００１５】
導流部４０の位置決めロッド４７が水入口側１０１及び水出口側１０２と一直線であることに言及する価値がある。ロッド体２５が、位置決めロッド４７の外側壁に位置付けられるように、流れブレード２６の後端に沿ってロータ２０の水入口２１の一端から延在し、それによって、ロータ２０の回転軌道を安定させる。
給水部の水が水入口側１０１から導流部４０の旋回開口４６まで流れると、チャンバ１７において発生される傾斜した流れが、ロータ２０を駆動して回転させ、流体がロータ２０の水入口２１を通ってスプレーユニット１００の水出口側１０２まで流れ、ロータ２０の回転によって旋回流が出力される。
【００１６】
図５を参照されたい。図５は、別の散水装置のスプレーユニットを示している。この実施形態では、ロータ２０の後方にある表面をガイドするために、水入口側１０１付近のチャンバにベベルが設定される。水出口側１０２付近のチャンバは、長手方向内部を有し、その内側壁に突出する３つのストッパ１８が等角で配置されている。複数のスロットがロータ２０の水出口に環状の形状で径方向に配置されており、スロットは、ストッパ１８を配置するためのガイド部材として提供され、このように、ロータ２０は、その傾斜した配置で安定して回転し、ロータ２０自身が回転することを防止する。
【００１７】
本開示は、回転バランスを維持するために、ガイド部材２８の数がストッパ１８の数の整数の倍数である実施形態を提供する。しかし、ストッパ１８の数は、ロータ２０を位置付けるために１つのみであることも可能である。
【要約】      （修正有）【課題】ハンディスプレーガンに適用するために長手方向チャンバを採用するとともに、出力流体が集中するように、ロータの回転を防止する、ロータノズルの構造を提供する。【解決手段】ロータノズルの構造は、散水装置のスプレーユニット１００に備え付けられ、スプレーユニットは、取り付け部材１１、及び、チャンバを画成するハウジング１５から構成され、ロータ２０がチャンバ内に展開され、水出口側付近のチャンバの内側において設定される少なくとも１つのストッパが、ロータの水出口２２の一端にある複数のガイド部材２８に対応して適合され、ハンディ散水装置に使用可能とする。【選択図】図３【図１】
0006913778.tif 000002
【図２】
0006913778.tif 000003
【図３】
0006913778.tif 000004
【図４】
0006913778.tif 000005
【図５】
0006913778.tif 000006